(57)【要約】【課題】サービス提供施設の新たな収入源の創出及び地域全体へ顧客を送客する技術を提供することが可能となる。【解決手段】情報処理装置と端末装置とを備える情報送信システムであって、情報処理装置は、端末装置の場所を示す第１場所情報を取得する第１通信部と、第１場所情報に基づいて、予め指定された付加価値と付加価値を使用可能な場所を示す第２場所情報とを含む価値情報を端末装置に送信する価値情報送信部と、を備え、端末装置は、送信された価値情報を受信する第２通信部と、第１場所情報を取得する場所情報取得部と、受信した価値情報と第１場所情報とに基づいて、付加価値が使用されたか否かを表す状態情報を決定する状態情報決定部と、を備える、情報送信システムである。【選択図】図２
2019191971.tif 000002
【特許請求の範囲】
【請求項１】
情報処理装置と端末装置とを備える情報送信システムであって、
前記情報処理装置は、
前記端末装置の場所を示す第１場所情報を取得する第１通信部と、
前記第１場所情報に基づいて、予め指定された付加価値と前記付加価値を使用可能な場所を示す第２場所情報とを含む価値情報を前記端末装置に送信する価値情報送信部と、を備え、
前記端末装置は、
前記送信された価値情報を受信する第２通信部と、
前記第１場所情報を取得する場所情報取得部と、
受信した前記価値情報と前記第１場所情報とに基づいて、前記付加価値が使用されたか否かを表す状態情報を決定する状態情報決定部と、を備える、
情報送信システム。
【請求項２】
前記状態情報決定部は、前記第１場所情報と前記第２場所情報とが一致する場合、前記状態情報を前記付加価値が使用されたことを表す状態に決定し、前記第１場所情報と前記第２場所情報とが一致しない場合、前記状態情報を前記付加価値が使用されていないことを表す状態に決定する、
請求項１に記載の情報送信システム。
【請求項３】
前記端末装置は、
前記状態情報が前記付加価値が使用されたことを表す状態である場合、前記付加価値が使用されたことを示す使用情報を生成し、前記情報処理装置に送信する使用情報生成部を更に備え、
前記情報処理装置は、
前記使用情報に基づいて、前記第１場所情報に対応付けられた前記価値情報の配布者に対して予め指定された対価を付与する対価付与部を更に備える、
請求項２に記載の情報送信システム。
【請求項４】
前記場所情報取得部は、前記端末装置の位置を示す位置情報に基づいて前記第１場所情報を取得する、
請求項１から３のいずれか一項に記載の、情報送信システム。
【請求項５】
前記場所情報取得部は、所定の場所と対応付けられた通信装置を識別する装置情報に基づいて前記第１場所情報を取得する、
請求項１から３のいずれか一項に記載の、情報送信システム。
【請求項６】
端末装置の場所を示す第１場所情報を取得する通信部と、
前記第１場所情報に基づいて、予め指定された付加価値と前記付加価値を使用可能な場所を示す第２場所情報とを含む価値情報を前記端末装置に送信する価値情報送信部と、
を備える、情報処理装置。
【請求項７】
予め指定された付加価値と前記付加価値を使用可能な場所を示す第２場所情報とを含む送信された価値情報を受信する通信部と、
端末装置の場所を示す第１場所情報を取得する場所情報取得部と、
受信した前記価値情報と前記第１場所情報とに基づいて、前記付加価値が使用されたか否かを表す状態情報を決定する状態情報決定部と、
を備える、端末装置。
【請求項８】
情報処理装置と端末装置とを備える情報送信システムが有する情報送信方法であって、
情報処理装置が、前記端末装置の場所を示す第１場所情報を取得する第１通信ステップと、
情報処理装置が、前記第１場所情報に基づいて、予め指定された付加価値と前記付加価値を使用可能な場所を示す第２場所情報とを含む価値情報を前記端末装置に送信する価値情報送信ステップと、
前記端末装置が、前記送信された価値情報を受信する第２通信ステップと、
前記端末装置が、前記第１場所情報を取得する場所情報取得ステップと、
前記端末装置が、受信した前記価値情報と前記第１場所情報とに基づいて、前記付加価値が使用されたか否かを表す状態情報を決定する状態情報決定ステップと、
を有する、情報送信方法。
【発明の詳細な説明】
【技術分野】
【０００１】
本発明は、情報送信システム、情報処理装置、端末装置及び情報送信方法に関する。
【背景技術】
【０００２】
サービス提供施設は顧客に対して宿泊、飲食、娯楽又は小売り等の様々なサービスを提供する。サービス提供施設は、自らが提供するサービスによって得られる収入で施設等の運営コストを賄う。従来、サービス提供施設は、来店した顧客に対して、収入を増やすためにさまざまな付帯サービスを提供することで顧客囲い込みによる客単価向上を図っている。ところが、顧客は、近年のＳＮＳ又はシェアリングエコノミーを通じて得られる情報、サービスの分散化及び拡散化に伴い、顧客は常に新たな発見を求めて行動するようになってきている。このような状況において、特定のサービス提供施設による顧客の囲い込みが困難となりはじめている。例えばホテル等のサービス提供施設は、従来、顧客に対して食事又は娯楽等の様々なサービスを提供する。しかし、近年、民泊等の普及に伴い、素泊まり等の特定のサービスを受けるにとどまる顧客が増えてきている。このような顧客は、結果的に様々なサービス提供施設でサービス提供を受けることとなる。こうした顧客行動特性の変化によって、サービス提供施設にとっては、付帯サービスの提供を通じた顧客囲い込み自体が運営コスト増による収益率低下を招く事態となっている。一方、地域経済の視点では、特定のサービス提供施設の顧客囲い込みによる顧客一極集中は、地域経済全体の活性化を阻害する要因となる。またそのサービス提供施設が何等かの経営不振に陥った場合、その影響は地域経済全体に及ぶという危険をはらむ。
【先行技術文献】
【特許文献】
【０００３】
【特許文献１】特開２０１３−１８６４８０号公報
【発明の概要】
【発明が解決しようとする課題】
【０００４】
このため、サービス提供施設は、顧客の行動特性の変化に応じた新たな収入源を創出するという課題がある。地域経済の視点では、特定のサービス提供施設の顧客の一極集中という構造から脱却し地域全体へ顧客を送客することで経済活性化を促進するという課題がある。上記事情に鑑み、本発明は、サービス提供施設の新たな収入源の創出及び地域全体へ顧客を送客する技術を提供することを目的としている。
【課題を解決するための手段】
【０００５】
本発明の一態様は、情報処理装置と端末装置とを備える情報送信システムであって、前記情報処理装置は、前記端末装置の場所を示す第１場所情報を取得する第１通信部と、前記第１場所情報に基づいて、予め指定された付加価値と前記付加価値を使用可能な場所を示す第２場所情報とを含む価値情報を前記端末装置に送信する価値情報送信部と、を備え、前記端末装置は、前記送信された価値情報を受信する第２通信部と、前記第１場所情報を取得する場所情報取得部と、受信した前記価値情報と前記第１場所情報とに基づいて、前記付加価値が使用されたか否かを表す状態情報を決定する状態情報決定部と、を備える、情報送信システムである。
【０００６】
本発明の一態様は、上記の情報送信システムであって、前記状態情報決定部は、前記第１場所情報と前記第２場所情報とが一致する場合、前記状態情報を前記付加価値が使用されたことを表す状態に決定し、前記第１場所情報と前記第２場所情報とが一致しない場合、前記状態情報を前記付加価値が使用されていないことを表す状態に決定する。
【０００７】
本発明の一態様は、上記の情報送信システムであって、前記端末装置は、前記状態情報が前記付加価値が使用されたことを表す状態である場合、前記付加価値が使用されたことを示す使用情報を生成し、前記情報処理装置に送信する使用情報生成部を更に備え、前記情報処理装置は、前記使用情報に基づいて、前記第１場所情報に対応付けられた前記価値情報の配布者に対して予め指定された対価を付与する対価付与部を更に備える。
【０００８】
本発明の一態様は、上記の情報送信システムであって、前記場所情報取得部は、前記端末装置の位置を示す位置情報に基づいて前記第１場所情報を取得する。
【０００９】
本発明の一態様は、上記の情報送信システムであって、前記場所情報取得部は、所定の場所と対応付けられた通信装置を識別する装置情報に基づいて前記第１場所情報を取得する。
【００１０】
本発明の一態様は、端末装置の場所を示す第１場所情報を取得する通信部と、前記第１場所情報に基づいて、予め指定された付加価値と前記付加価値を使用可能な場所を示す第２場所情報とを含む価値情報を前記端末装置に送信する価値情報送信部と、を備える、情報処理装置である。
【００１１】
本発明の一態様は、予め指定された付加価値と前記付加価値を使用可能な場所を示す第２場所情報とを含む送信された価値情報を受信する通信部と、端末装置の場所を示す第１場所情報を取得する場所情報取得部と、受信した前記価値情報と前記第１場所情報とに基づいて、前記付加価値が使用されたか否かを表す状態情報を決定する状態情報決定部と、を備える、端末装置である。
【００１２】
本発明の一態様は、情報処理装置と端末装置とを備える情報送信システムが有する情報送信方法であって、情報処理装置が、前記端末装置の場所を示す第１場所情報を取得する第１通信ステップと、情報処理装置が、前記第１場所情報に基づいて、予め指定された付加価値と前記付加価値を使用可能な場所を示す第２場所情報とを含む価値情報を前記端末装置に送信する価値情報送信ステップと、前記端末装置が、前記送信された価値情報を受信する第２通信ステップと、前記端末装置が、前記第１場所情報を取得する場所情報取得ステップと、前記端末装置が、受信した前記価値情報と前記第１場所情報とに基づいて、前記付加価値が使用されたか否かを表す状態情報を決定する状態情報決定ステップと、を有する、情報送信方法である。
【発明の効果】
【００１３】
本発明により、サービス提供施設の新たな収入源の創出及び地域全体へ顧客を送客する技術を提供することが可能となる。
【図面の簡単な説明】
【００１４】
【図１】第１の実施形態の情報送信システムのシステム構成を表すシステム構成図である。
【図２】第１の実施形態の情報処理装置の機能構成を表す機能ブロック図である。
【図３】第１の実施形態の端末装置の機能構成を表す機能ブロック図である。
【図４】第１発行者情報テーブルの具体例を示す図である。
【図５】付与対価テーブルの具体例を示す図である。
【図６】第１価値情報テーブルの具体例を示す図である。
【図７】第１の実施形態の価値情報の送受信の流れの一具体例を示すフローチャートである。
【図８】第１の実施形態の第１価値情報テーブルの更新の流れの一具体例を示すフローチャートである。
【図９】第１の実施形態の第１価値情報が使用された場合の処理の流れの一具体例を示すフローチャートである。
【図１０】第２の実施形態の情報送信システムのシステム構成を表すシステム構成図である。
【図１１】第２の実施形態の情報処理装置の機能構成を表す機能ブロック図である。
【図１２】第２の実施形態の端末装置の機能構成を表す機能ブロック図である。
【図１３】第２の実施形態の通信装置の機能構成を表す機能ブロック図である。
【図１４】第２発行者情報テーブルの具体例を示す図である。
【図１５】第２価値情報テーブルの具体例を示す図である。
【図１６】第２の実施形態の価値情報の送受信の流れの一具体例を示すフローチャートである。
【図１７】第２の実施形態の第２価値情報テーブルの更新の流れの一具体例を示すフローチャートである。
【発明を実施するための形態】
【００１５】
（第１の実施形態）
図１は、第１の実施形態の情報送信システム１のシステム構成を表すシステム構成図である。情報送信システム１は、ネットワーク３００に設けられる。情報送信システム１は、端末装置２００に対して情報を送信する。情報送信システム１は、ネットワーク３００を介して互いに通信可能に接続される複数の端末装置２００を備える。ネットワーク３００は、どのようなネットワークで構築されてもよい。例えば、ネットワーク３００は、インターネットで構成されてもよい。
【００１６】
情報処理装置１００は、パーソナルコンピュータ又はサーバ等の情報処理装置である。情報処理装置１００は、所定の場所に移動された端末装置２００に対して、情報を送信する。所定の場所を表す情報は、予め情報処理装置１００に記録される。端末装置２００に送信される情報は、例えば、何らかの付加価値を有する情報である。
【００１７】
端末装置２００は、スマートフォン、タブレットコンピュータ、ウェアラブルデバイス又はパーソナルコンピュータ等の端末装置である。端末装置２００は、情報処理装置１００に対して、位置情報を送信する。端末装置２００は、送信された位置情報に応じて、情報処理装置１００から何らかの付加価値を有する情報を受信する。
【００１８】
図２は、第１の実施形態の情報処理装置１００の機能構成を表す機能ブロック図である。情報処理装置１００は、バスで接続されたＣＰＵ（Central Processing Unit）やメモリや補助記憶装置などを備え、情報送信プログラムを実行することによって通信部１０１、入力部１０２、表示部１０３、発行者情報記憶部１０４、付与対価記憶部１０５及び制御部１０６を備える装置として機能する。なお、通信部１０１、入力部１０２、表示部１０３、発行者情報記憶部１０４、付与対価記憶部１０５及び制御部１０６の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。情報送信プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。情報送信プログラムは、電気通信回線を介して送信されてもよい。
【００１９】
通信部１０１は、ネットワークインタフェースである。通信部１０１はネットワーク３００を介して、端末装置２００と通信する。通信部１０１は、例えば無線ＬＡＮ（Local Area Network）、有線ＬＡＮ、Ｂｌｕｅｔｏｏｔｈ（登録商標）、ＬＴＥ（Long Term Evolution）（登録商標）又は５Ｇ等の通信方式で通信してもよい。通信部１０１は、第１通信部の一態様である。第１通信部は、端末装置２００の場所を示す第１場所情報を取得する。
【００２０】
入力部１０２は、タッチパネル、マウス及びキーボード等の入力装置を用いて構成される。入力部１０２は、入力装置を情報処理装置１００に接続するためのインタフェースであってもよい。この場合、入力部１０２は、入力装置において入力された入力信号から入力データ（例えば、情報処理装置１００に対する指示を示す指示情報）を生成し、情報処理装置１００に入力する。
【００２１】
表示部１０３は、ＣＲＴ（Cathode Ray Tube）ディスプレイ、液晶ディスプレイ、有機ＥＬ（Electro Luminescence）ディスプレイ等の出力装置である。表示部１０３は、出力装置を情報処理装置１００に接続するためのインタフェースであってもよい。この場合、表示部１０３は、映像データから映像信号を生成し自身に接続されている映像出力装置に映像信号を出力する。
【００２２】
発行者情報記憶部１０４は、磁気ハードディスク装置や半導体記憶装置等の記憶装置を用いて構成される。発行者情報記憶部１０４は、第１発行者情報テーブルを記憶する。第１発行者情報テーブルは、端末装置２００に送信される第１価値情報に関する情報を記憶する。
【００２３】
図４は、第１発行者情報テーブルの具体例を示す図である。第１発行者情報テーブルは、第１発行者情報レコードを有する。第１発行者情報レコードは、第１価値情報識別子、配布位置情報、発行者識別子、配布者識別子、位置情報、第１価値情報、発行者名及び付与対価の各値を有する。第１価値情報識別子は、第１価値情報の識別情報である。第１価値情報識別子は、端末装置２００に対して送信される第１価値情報を特定する識別子である。第１価値情報識別子は、他の第１価値情報識別子と重複しない情報である。配布位置情報は、第１価値情報が配布される場所を示す情報である。配布位置情報は、第１発行者情報レコードに複数保持されてもよい。発行者識別子は、第１価値情報の発行者の識別情報である。配布者識別子は、第１価値情報を配布した配布者を特定する識別情報である。配布者識別子は、他の配布者識別子と重複しない情報である。配布者識別子は、配布位置情報と対応付けて保持される。位置情報は、ホテル又はレストラン等の第１価値情報を使用可能な場所を表す情報である。位置情報は、第１発行者情報レコードに複数保持されてもよい。第１価値情報は、端末装置２００の利用者によって受益される価値の具体的な内容を示す。第１価値情報は、第１価値情報識別子によって特定される。発行者名は、第１価値情報を発行した発行者の名称を表す。発行者名は、発行者識別子によって特定される。付与対価は、第１価値情報が使用された場合に、第１価値情報を配布した者（例えば、発行者識別子によって識別される配布者）に対して付与される対価を表す。付与対価は、通貨であってもよいし、物品であってもよい。付与対価は、配布した者が複数存在する場合、複数の配布者に付与されてもよい。
【００２４】
図４に示される例では、第１発行者情報テーブルの最上段の第１発行者情報レコードは、第１価値情報識別子の値が“valueinfo01”、配布位置情報の値が“location01、location02、location03、・・・”、発行者識別子の値が“issuer01”、配布者識別子の値が“distributor01、distributor02、distributor03、・・・”、位置情報の値が“location01”、第１価値情報の値が“1000円OFF”、発行者名の値が“ホテル”、付与対価の値が“10”である。従って、第１発行者情報テーブルの最上段のレコードによると、第１価値情報は、“valueinfo01”で識別され、“1000円OFF”である。第１価値情報は、配布位置情報が“location01”である場所であれば、配布者識別子が“distributor01”によって特定される者によって配布される。第１価値情報は、配布位置情報が“location02”である場所であれば、配布者識別子が“distributor02”によって特定される者によって配布される。第１価値情報は、配布位置情報が“location03”である場所であれば、配布者識別子が“distributor03”によって特定される者によって配布される。第１価値情報識別子の発行者は、“issuer01”で識別され、発行者の名前は、“ホテル”であり、第１価値情報は、位置情報が“location01”となる場所で使用される。第１価値情報が使用された場合、配布者に付与される対価は“10”であることがわかる。なお、図４に示される第１発行者情報テーブルは一具体例に過ぎない。そのため、図４とは異なる態様で第１発行者情報テーブルが構成されてもよい。
【００２５】
図２に戻って、情報処理装置１００の説明を続ける。付与対価記憶部１０５は、磁気ハードディスク装置や半導体記憶装置等の記憶装置を用いて構成される。付与対価記憶部１０５は、付与対価テーブルを記憶する。付与対価テーブルは、第１価値情報を配布した配布者に対して付与された対価を記憶する。
【００２６】
図５は、付与対価テーブルの具体例を示す図である。付与対価テーブルは付与対価レコードを有する。付与対価レコードは、被付与者識別子及び付与情報の各値を有する。被付与者識別子は、対価が付与された者を特定する識別子である。対価が付与された者は、配布者識別子の値によって特定される。すなわち、被付与者識別子の各値は、配布者識別子と同じ値が用いられる。付与情報は、配布者識別子によって特定される配布者に対して付与された対価を表す。付与情報は、付与対価及び付与者の各値を有する。付与対価は、配布者に対して付与された対価の値を表す。付与者識別子は、対価を付与した者を特定する識別子である。対価を付与した者は、発行者識別子の値によって特定される。すなわち、付与者識別子の値は、発行者識別子と同じ値が用いられる。
【００２７】
図５に示される例では、付与対価テーブルの最上段の付与対価レコードは、被付与者識別子の値が“distributor01”、付与情報のうち、付与対価の値が“５”、付与識別子の値が“issuer07”である。従って、付与対価テーブルの最上段のレコードによると、対価の被付与者は、“distributor01”で特定される。“distributor01”は、これまでに、付与者識別子”issuer07”によって特定される付与者から、付与対価として”５“を付与され、付与者識別子”issuer31”によって特定される付与者から、付与対価として”１０“を付与されたことがわかる。なお、図５に示される付与対価テーブルは一具体例に過ぎない。そのため、図５とは異なる態様で付与対価テーブルが構成されてもよい。
【００２８】
図２に戻って、情報処理装置１００の説明を続ける。制御部１０６は情報処理装置１００の各部の動作を制御する。制御部１０６は、例えばＣＰＵ等のプロセッサ及びＲＡＭを備えた装置により実行される。制御部１０６は、情報送信プログラムを実行することによって、判定部１０７、価値情報送信部１０８及び付与情報生成部１０９として機能する。
【００２９】
判定部１０７は、端末情報及び位置情報に基づいて価値情報を端末装置２００に送信するか否かを判定する。端末情報及び位置情報は端末装置２００から送信される。判定部１０７は、第１発行者情報テーブルに記憶される第１発行者情報レコードの配布位置情報の各値を参照する。判定部１０７は、配布位置情報の値として受信した位置情報の値と同じ値を記憶する第１発行者情報レコードを特定する。第１発行者情報レコードは複数特定されてもよい。判定部１０７は、少なくとも１つの第１発行者情報レコードが特定された場合、価値情報を端末装置２００に送信すると判定する。判定部１０７は、価値情報を端末装置２００に送信すると判定された場合、特定された第１発行者情報レコードを取得する。判定部１０７は、取得された第１発行者情報レコードを価値情報送信部１０８に出力する。なお、判定部１０７は、第１発行者情報レコードが複数の配布位置情報の値を記憶する場合、複数の配布位置情報の値のうち、少なくとも１つが一致すれば、位置情報の値と同じ値を記憶する第１発行者情報レコードとして特定する。位置情報は、第１場所情報の一態様である。
【００３０】
価値情報送信部１０８は、出力された第１発行者情報レコードと端末装置２００から受信した位置情報とに基づいて、端末装置２００に対して価値情報を送信する。まず、価値情報送信部１０８は、価値情報の配布者を特定する。具体的には、価値情報送信部１０８は、出力された第１発行者情報レコードの配布者識別子の値を取得する。取得された配布者識別子の値が、価値情報の配布者として特定される。価値情報送信部１０８は、価値情報送信部の一態様である。価値情報送信部は、第１場所情報に基づいて、予め指定された付加価値と付加価値を使用可能な場所を示す第２場所情報を含む価値情報を端末装置に送信する。第１価値情報は、付加価値の一態様である。第１発行者情報レコードの位置情報は、第２場所情報の一態様である。
【００３１】
価値情報送信部１０８は、判定部１０７から出力された第１発行者情報レコードから、第１価値情報識別子、発行者識別子、位置情報、第１価値情報及び発行者名の値を取得する。価値情報送信部１０８は、取得された第１価値情報識別子、発行者識別子、位置情報、第１価値情報及び発行者名の各値と、価値情報送信部１０８によって取得された配布者識別子の値とを含む価値情報を生成する。価値情報送信部１０８は、端末情報によって特定される端末装置２００に価値情報を送信する。このような手法と取ることで、価値情報には、他の発行者によって発行された第１価値情報が含まれる場合がある。したがって、端末装置２００の利用者は、他の発行者（例えば、他のサービス提供施設）によって発行された第１価値情報を確認することで、他のサービス提供施設に移動するという動機づけを持つことができる。
【００３２】
付与情報生成部１０９は、所定の条件に基づいて付与情報を生成する。所定の条件とは、例えば、端末装置２００から実現情報を受付けた場合であってもよい。実現情報とは、端末装置２００によって第１価値情報の使用がされた事を示す情報である。実現情報の詳細は後述する。付与情報生成部１０９は、実現情報に含まれる第１価値情報識別子を取得する。付与情報生成部１０９は、取得された第１価値情報識別子を記憶する第１発行者情報レコードを取得する。付与情報生成部１０９は、取得された第１発行者情報レコードの記憶する付与対価及び発行者識別子を取得する。付与情報生成部１０９は、実現情報に含まれる配布者履歴を取得する。配布者履歴には、価値情報に含まれる第１価値情報を送信した配布者識別子の値が含まれる。
【００３３】
付与情報生成部１０９は、取得された付与対価と発行者識別子とに基づいて、付与情報を生成する。付与情報生成部１０９は、例えば、付与情報生成部１０９は、取得された付与対価と発行者識別子の値とを組みにして、付与情報を生成してもよい。付与情報生成部１０９は、配布者履歴に含まれる値のうち、価値情報に含まれる第一価値情報を最後に配布した配布者識別子を示す値を特定する。付与情報生成部１０９は、所定の条件を満たす付与情報レコードを特定する。所定の条件とは、特定された配布者識別子の値を被付与者識別子の値として記憶したレコードであることである。付与情報生成部１０９は、特定された付与情報レコードに、付与情報を記録する。このように、第一価値情報を最後に発行した者の付与情報レコードに付与情報を記録することで、第一価値情報の配布の起点となりやすい者（例えば、ホテル等）が、対価を独占することを防止でき、収益を分配することが可能になる。
【００３４】
付与情報生成部１０９は、例えば、複数（例えば、配布者履歴に含まれる配布者識別子の個数）の付与情報を生成してもよい。この場合、付与情報に含まれる付与対価の値は、取得された付与対価の値に対して、所定の計算をすることで得られた値であってもよいし、付与対価の値がそのまま用いられてもよい。所定の計算とは、例えば、生成された付与情報に含まれる付与対価の値の総和が、取得された付与対価の値と一致するような計算であってもよい。付与情報生成部１０９は、所定の条件を満たす付与情報レコードをすべて特定する。所定の条件とは、特定された配布者識別子の値を被付与者識別子の値として記憶することである。付与情報生成部１０９は、特定された付与情報レコードに、付与情報を記録する。付与情報生成部１０９は、対価付与部の一態様である。対価付与部は、使用情報に基づいて、第１場所情報に対応付けられた価値情報の配布者に対して予め指定された対価を付与する。第１場所情報に対応付けられた価値情報の配布者は、配布者履歴に含まれる第１価値情報を送信した配布者識別子によって特定される配布者を表す。
【００３５】
図３は、第１の実施形態の端末装置２００の機能構成を表す機能ブロック図である。端末装置２００は、バスで接続されたＣＰＵやメモリや補助記憶装置などを備え、情報送信プログラムを実行することによって通信部２０１、入力部２０２、表示部２０３、端末情報記憶部２０４、価値情報記憶部２０５及び制御部２０６を備える装置として機能する。なお、通信部２０１、入力部２０２、表示部２０３、端末情報記憶部２０４、価値情報記憶部２０５及び制御部２０６の各機能の全て又は一部は、ＡＳＩＣやＰＬＤやＦＰＧＡ等のハードウェアを用いて実現されてもよい。情報送信プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。情報送信プログラムは、電気通信回線を介して送信されてもよい。
【００３６】
通信部２０１は、ネットワークインタフェースである。通信部２０１はネットワーク３００を介して、情報処理装置１００と通信する。通信部２０１は、例えば無線ＬＡＮ、有線ＬＡＮ、Ｂｌｕｅｔｏｏｔｈ、ＬＴＥ又は５Ｇ等の通信方式で通信してもよい。通信部２０１は、第２通信部の一態様である。第２通信部は、送信された価値情報を受信する。
【００３７】
入力部２０２は、タッチパネル、マウス及びキーボード等の入力装置を用いて構成される。入力部２０２は、入力装置を端末装置２００に接続するためのインタフェースであってもよい。この場合、入力部２０２は、入力装置において入力された入力信号から入力データ（例えば、端末装置２００に対する指示を示す指示情報）を生成し、端末装置２００に入力する。
【００３８】
表示部２０３は、ＣＲＴディスプレイ、液晶ディスプレイ、有機ＥＬディスプレイ等の出力装置である。表示部２０３は、出力装置を端末装置２００に接続するためのインタフェースであってもよい。この場合、表示部２０３は、映像データから映像信号を生成し自身に接続されている映像出力装置に映像信号を出力する。
【００３９】
端末情報記憶部２０４は、磁気ハードディスク装置や半導体記憶装置等の記憶装置を用いて構成される。端末情報記憶部２０４は、端末情報を記憶する。端末情報は、情報処理装置１００が端末装置２００を一意に識別可能な情報である。端末情報は、例えば、Ｃｏｏｋｉｅであってもよいし、ＩＰアドレスであってもよいし、ＭＡＣアドレスであってもよいし、情報処理装置１００によって予め指定された情報であってもよく、どのような情報であってもよい。
【００４０】
図３に戻って、端末装置２００の説明を続ける。価値情報記憶部２０５は、磁気ハードディスク装置や半導体記憶装置等の記憶装置を用いて構成される。価値情報記憶部２０５は、第１価値情報テーブルを記憶する。第１価値情報テーブルは、端末装置２００が受信した価値情報を記憶する。
【００４１】
図６は、第１価値情報テーブルの具体例を示す図である。第１価値情報テーブルは、第１価値情報レコードを有する。第１価値情報レコードは、第１価値情報識別子、発行者識別子、発行者名、第１価値情報、位置情報、配布者履歴及びステータスの各値を有する。なお、第１価値情報識別子、発行者識別子、発行者名、第１価値情報及び位置情報の各値は、図４で説明しているため、説明を省略する。配布者履歴は、第１価値情報を配布した配布者を表す。配布者履歴の各値は、配布者識別子と同じ値が用いられる。配布者履歴は、第１価値情報が配布される都度、追加される。配布者履歴は、価値情報に含まれる第１価値情報を最後に配布した者から順番に記載される。ステータスは、第１価値情報レコードの状態を表す。ステータスは、例えば、“発生”、“流通”及び“実現”の３つの値で表現される。発生は、第１価値情報テーブルに記憶されていない第１価値情報が配布された状態を表す。流通は、第１価値情報が使用されていない状態を表す。第１価値情報は、位置情報によって示される場所に端末装置２００が移動された場合、使用される。実現は、第１価値情報が使用された状態を表す。
【００４２】
図６に示される例では、第１価値情報テーブルの最上段の第１価値情報レコードは、第１価値情報識別子の値が“valueinfo01”、発行者識別子の値が“issuer01”、発行者名の値が“ホテル”、第１価値情報の値が“1000円OFF”、位置情報の値が、“location01”、配布者履歴の値が“distributor02、distributor01”、ステータスの値が“流通”である。従って、第１価値情報テーブルの最上段のレコードによると、第１価値情報は、“valueinfo01”の識別子で識別され、第１価値情報の発行者は、“issuer01”で識別され、発行者名は“ホテル”であり、第１価値情報は“1000円OFF”であり、端末装置２００が、“location01”に移動されると、第１価値情報は使用され、第１価値情報は、最初に“distributor01”、次に“distributor02”によって配布されており、現在のステータスは“流通”であることがわかる。なお、図６に示される第１価値情報テーブルは一具体例に過ぎない。そのため、図６とは異なる態様で第１価値情報テーブルが構成されてもよい。
【００４３】
図３に戻って、端末装置２００の説明を続ける。制御部２０６は、端末装置２００の各部の動作を制御する。制御部２０６は、例えばＣＰＵ等のプロセッサ及びＲＡＭを備えた装置により実行される。制御部２０６は、情報送信プログラムを実行することによって、位置情報取得部２０７、価値情報取得部２０８、価値情報更新部２０９及び実現情報生成部２１０として機能する。
【００４４】
位置情報取得部２０７は、位置情報を取得する。位置情報は、端末装置２００の位置を示す情報である。位置情報取得部２０７は、例えば、ＧＰＳ（Global Positioning System）等の衛星測位システムによって位置情報を取得してもよい。位置情報は、例えば、経緯度情報であってもよい。位置情報は、例えば、経緯度の情報に加えて、高度又は速度等の情報が含まれていてもよい。位置情報は、衛星測位システムからの電波が届きにくい場所（例えば、山間部やトンネル）では、端末装置２００の速度の情報や加速度の情報を用いて補正されてもよい。位置情報取得部２０７は、場所情報取得部の一態様である。
【００４５】
価値情報取得部２０８は、価値情報を取得する。価値情報取得部２０８は、位置情報が取得された場合、端末情報記憶部２０４から端末情報を取得する。価値情報取得部２０８は、取得された位置情報及び端末情報を情報処理装置１００に送信する。価値情報取得部２０８は、送信された位置情報が、所定の条件を満たす場合、情報処理装置１００から価値情報を受信する。価値情報取得部２０８は、受信された価値情報を価値情報更新部２０９に出力する。所定の条件とは、例えば、情報処理装置１００が備える判定部１０７によって、価値情報を端末装置２００に送信すると判定される場合の条件である。
【００４６】
価値情報更新部２０９は、取得された価値情報に基づいて、第１価値情報テーブルを更新する。具体的には、価値情報更新部２０９は、取得された価値情報に含まれる第１価値情報識別子を取得する。価値情報更新部２０９は、取得された第１価値情報識別子が、第１価値情報テーブルの第１価値情報レコードに記憶されているか否かを判定する。価値情報更新部２０９は、第１価値情報レコードに記憶されていないと判定した場合、第１価値情報レコードを生成する。価値情報更新部２０９は、取得された価値情報に含まれる、第１価値情報識別子、発行者識別子、発行者名、第１価値情報及び位置情報の各値を含む第１価値情報レコードを生成する。価値情報更新部２０９は、生成された第１価値情報レコードのステータスの値として“発生”を設定する。価値情報更新部２０９は、第１価値情報テーブルの各第１価値情報レコードに対して、配布者履歴の値として、価値情報に含まれる配布者識別子の値を追加する。第１価値情報レコードのステータスは、状態情報の一態様である。
【００４７】
次に、価値情報更新部２０９は、第１価値情報レコードに記憶されている位置情報が、位置情報取得部２０７によって取得された位置情報と、一致しているか否かを判定する。価値情報更新部２０９は、位置情報が一致していると判定した場合、第１価値情報レコードのステータスの値を“実現”に変更する。価値情報更新部２０９は、位置情報が一致していないと判定した場合、第１価値情報レコードのステータスの値を“流通”に変更する。価値情報更新部２０９は、状態情報決定部の一態様である。状態情報決定部は、受信した前記価値情報と第１場所情報とに基づいて、付加価値が使用されたか否かを表す状態情報を決定する。
【００４８】
実現情報生成部２１０は、実現情報を生成する。実現情報とは、第１価値情報が使用されたことを示す情報である。実現情報生成部２１０は、ステータスの値として“実現”を有する第１価値情報レコードがあるか否かを判定する。実現情報生成部２１０は、ステータスの値として“実現”を有する第１価値情報レコードがある場合、実現情報を生成する。実現情報には、第１価値情報識別子、発行者識別子及び配布者履歴の各値が少なくとも含まれる。実現情報生成部２１０は、ステータスの値として“実現”を有する第１価値情報レコードから第１価値情報識別子、発行者識別子及び配布者履歴の各値を取得する。実現情報生成部２１０は、生成された実現情報を情報処理装置１００に送信する。実現情報生成部２１０は、使用情報生成部の一態様である。使用情報生成部は、状態情報が付加価値が使用されたことを表す場合、付加価値が使用されたことを示す使用情報を生成し、情報処理装置１００に送信する。
【００４９】
図７は、第１の実施形態の価値情報の送受信の流れの一具体例を示すフローチャートである。端末装置２００の位置情報取得部２０７は端末装置２００の位置を示す位置情報を取得する（ステップＳ１０１）。端末装置２００の価値情報取得部２０８は、端末情報記憶部２０４から端末情報を取得する（ステップＳ１０２）。価値情報取得部２０８は、取得された位置情報及び端末情報を情報処理装置１００に送信する（ステップＳ１０３）。
【００５０】
情報処理装置１００の判定部１０７は、価値情報を端末装置２００に送信するか否かを判定する（ステップＳ１０４）。判定部１０７は、第１発行者情報レコードの配布位置情報の値と、受信された位置情報の値とが一致する第１発行者情報レコードを特定する。判定部１０７は、少なくとも１つの第１発行者情報レコードが特定された場合、価値情報を端末装置２００に送信すると判定する。情報処理装置１００は、価値情報を端末装置２００に送信しないと判定された場合（ステップＳ１０４：ＮＯ）、処理を終了する。
【００５１】
価値情報送信部１０８は、価値情報を端末装置２００に送信すると判定された場合（ステップＳ１０４：ＹＥＳ）、価値情報を生成する(ステップＳ１０５)。価値情報送信部１０８は、生成された価値情報を、取得された端末情報によって特定される端末装置２００に送信する（ステップＳ１０６）。価値情報更新部２０９は、取得された価値情報に基づいて、第１価値情報テーブルを更新する（ステップＳ１０７）。
【００５２】
図８は、第１の実施形態の第１価値情報テーブルの更新の流れの一具体例を示すフローチャートである。端末装置２００の価値情報更新部２０９は、取得された価値情報に含まれる第１価値情報識別子を取得する。価値情報更新部２０９は、取得された第１価値情報識別子が、第１価値情報テーブルの第１価値情報レコードに記憶されているか否かを判定する（ステップＳ２０１）。価値情報更新部２０９は、第１価値情報識別子が第１価値情報レコードに記憶されていないと判定した場合（ステップＳ２０１：ＮＯ）、第１価値情報レコードを生成する（ステップＳ２０２）。価値情報更新部２０９は、取得された価値情報に含まれる、第１価値情報識別子、発行者識別子、発行者名、第１価値情報及び位置情報の各値を含む第１価値情報レコードを生成する。価値情報更新部２０９は、生成された第１価値情報レコードのステータスの値として“発生”を、設定する。価値情報更新部２０９は、第１価値情報テーブルの各第１価値情報レコードに対して、配布者履歴の値として、価値情報に含まれる配布者識別子の値を追加する（ステップＳ２０３）。価値情報更新部２０９は、第１価値情報識別子が第１価値情報レコードに記憶されていると判定した場合（ステップＳ２０１：ＹＥＳ）、ステップＳ２０３に遷移する。
【００５３】
価値情報更新部２０９は、第１価値情報レコードに記憶されている位置情報が、位置情報取得部２０７によって取得された位置情報と、一致しているか否かを判定する（ステップＳ２０４）。価値情報更新部２０９は、位置情報が一致していると判定した場合（ステップＳ２０４：ＹＥＳ）、第１価値情報レコードのステータスの値を“実現”に変更する（ステップＳ２０５）。価値情報更新部２０９は、位置情報が一致していないと判定した場合（ステップＳ２０４：ＮＯ）、第１価値情報レコードのステータスの値を“流通”に変更する（ステップＳ２０６）。
【００５４】
図９は、第１の実施形態の第１価値情報が使用された場合の処理の流れの一具体例を示すフローチャートである。端末装置２００の実現情報生成部２１０は、ステータスの値として“実現”を有する第１価値情報レコードがあるか否かを判定する（ステップＳ３０１）。実現情報生成部２１０は、ステータスの値として“実現”を有する第１価値情報レコードがある場合（ステップＳ３０１：ＹＥＳ）、実現情報を生成する（ステップＳ３０２）。実現情報生成部２１０は、ステータスの値として“実現”を有する第１価値情報レコードから、第１価値情報識別子、発行者識別子及び配布者履歴の各値を取得する。実現情報生成部２１０は、取得された各値を含む実現情報を生成する。実現情報生成部２１０は、ステータスの値として“実現”を有する第１価値情報レコードがない場合（ステップＳ３０１：ＮＯ）、処理を終了する。実現情報生成部２１０は、生成された実現情報を情報処理装置１００に送信する（ステップＳ３０３）。
【００５５】
情報処理装置１００の付与情報生成部１０９は、端末装置２００から実現情報を受付けると、付与情報を生成する（ステップＳ３０４）。付与情報生成部１０９は、所定の条件を満たす付与情報レコードを特定する。所定の条件とは、特定された配布者識別子の値を被付与者識別子の値として記憶したレコードであることである。付与情報生成部１０９は、特定された付与情報レコードに、付与情報を記録する（ステップＳ３０５）。
【００５６】
このように構成された情報送信システム１では、端末装置２００の価値情報取得部２０８は、端末装置２００の位置情報を情報処理装置１００に送信する。情報処理装置１００の価値情報送信部１０８は、受信した位置情報に基づいて、価値情報を端末装置２００に送信する。端末装置２００の利用者は、受信した価値情報を確認することで、価値情報に含まれる第１価値情報を使用することができる別のサービス提供施設に移動する。利用者は、別のサービス提供施設に移動して、価値情報に含まれる第１価値情報を使用してサービスの提供を受ける。価値情報に含まれる第１価値情報が使用された場合、第１価値情報を配布した配布者は、第１価値情報の発行者から対価を得ることができる。したがって、サービス提供施設の新たな収入源の創出することができる。また、価値情報を配布した配布者は、第１価値情報の発行者から対価が付与されることで、価値情報を配布する者は、増加することが考えられる。価値情報を配布する者が増加した場合、端末装置２００の利用者に対して、別のサービス提供施設に移動する動機づけをより多く与えることができ、価値情報の配布者は、より多くの対価を得ることができ、サービス提供施設のさらなる収入源の創出及び地域全体へ顧客を送客することができる。
【００５７】
（第２の実施形態）
図１０は、第２の実施形態の情報送信システム２のシステム構成を表すシステム構成図である。情報送信システム２は、ネットワーク３００に設けられる。情報送信システム２は、情報処理装置１００の代わりに情報処理装置１００ａと、端末装置２００の代わりに端末装置２００ａとを備え、通信装置４００をさらに備える点で、第１の実施形態とは異なる。以下、第１の実施形態と異なる点について説明する。
【００５８】
情報処理装置１００ａは、パーソナルコンピュータ又はサーバ等の情報処理装置である。情報処理装置１００ａは、端末装置２００ａに対して、情報を送信する。端末装置２００ａは、スマートフォン、タブレットコンピュータ、ウェアラブルデバイス又はパーソナルコンピュータ等の通信装置である。端末装置２００ａは、情報処理装置１００ａに対して、通信装置４００を識別可能な情報である装置情報を送信する。端末装置２００ａは、装置情報を通信装置４００から取得する。端末装置２００ａは、送信された装置情報に応じて、情報処理装置１００ａから何らかの付加価値を有する情報を受信する。
【００５９】
通信装置４００は、ビーコン発信器又は無線ＬＡＮアクセスポイント等の通信装置である。通信装置４００は、所定のタイミングで、信号を送信する。所定のタイミングは、６００ミリ秒毎であってもよいし、７００ミリ秒毎であってもよいし、１００ミリ秒であってもよいし、１秒毎であってもよい。所定のタイミングは、どのような時間間隔であってもよい。信号には、通信装置４００を識別可能な装置情報が含まれる。
【００６０】
図１１は、第２の実施形態の情報処理装置１００ａの機能構成を表す機能ブロック図である。情報処理装置１００ａは、発行者情報記憶部１０４の代わりに発行者情報記憶部１０４ａを備え、制御部１０６の代わりに制御部１０６ａを備える。情報処理装置１００ａは、それ以外の点については第１の実施形態における情報処理装置１００と同じである。
【００６１】
発行者情報記憶部１０４ａは、磁気ハードディスク装置や半導体記憶装置等の記憶装置を用いて構成される。発行者情報記憶部１０４ａは、第２発行者情報テーブルを記憶する。第２発行者情報テーブルは、端末装置２００ａに送信される第１価値情報に関する情報を記憶する。
【００６２】
図１４は、第２発行者情報テーブルの具体例を示す図である。第２発行者情報テーブルは、第２発行者情報レコードを有する。第２発行者情報レコードは、第１価値情報識別子、配布装置情報、配布者識別子、発行者識別子、装置情報、第１価値情報、発行者名及び付与対価の各値を有する。すなわち、第２発行者情報テーブルは、配布位置情報の代わりに配布装置情報を有し、位置情報の代わりに装置情報の値を有する点で、第１発行者情報テーブルと異なり、それ以外の点は同じである。配付装置情報は、第１価値情報識別子によって特定される第１価値情報を含む価値情報を配布した通信装置４００を示す情報が含まれる。配布装置情報は、第２発行者情報レコードに複数保持されてもよい。配布装置情報は、配布者識別子と対応付けて保持される。装置情報は、ホテル又はレストラン等の第１価値情報を使用可能な場所に設置される通信装置４００を識別する情報である。
【００６３】
図１１に戻って、情報処理装置１００ａの説明を続ける。制御部１０６ａは、情報処理装置１００ａの各部の動作を制御する。制御部１０６ａは、例えばＣＰＵ等のプロセッサ及びＲＡＭを備えた装置により実行される。制御部１０６ａは、情報送信プログラムを実行することによって、判定部１０７ａ、価値情報送信部１０８ａ及び付与情報生成部１０９として機能する。
【００６４】
判定部１０７ａは、端末情報及び装置情報に基づいて価値情報を端末装置２００ａに送信するか否かを判定する。端末情報及び装置情報は端末装置２００ａから送信される。判定部１０７ａは、第２発行者情報テーブルに記憶される第２発行者情報レコードの配布装置情報の各値を参照する。判定部１０７ａは、配布装置情報の値として受信した装置情報の値と同じ値を記憶する第２発行者情報レコードを特定する。第２発行者情報レコードは複数特定されてもよい。判定部１０７ａは、少なくとも１つの第２発行者情報レコードが特定された場合、価値情報を端末装置２００ａに送信すると判定する。判定部１０７ａは、価値情報を端末装置２００ａに送信すると判定された場合、特定された第２発行者情報レコードを取得する。判定部１０７ａは、取得された第２発行者情報レコードを価値情報送信部１０８ａに出力する。なお、判定部１０７ａは、第２発行者情報レコードが複数の配布装置情報の値を記憶する場合、複数の配布装置情報の値のうち、少なくとも１つが一致すれば、装置情報の値と同じ値を記憶する第２発行者情報レコードとして特定する。
【００６５】
価値情報送信部１０８ａは、出力された第２発行者情報レコードと端末装置２００ａから受信した装置情報とに基づいて、端末装置２００ａに対して価値情報を送信する。まず、価値情報送信部１０８ａは、価値情報の配布者を特定する。具体的には、価値情報送信部１０８ａは、出力された第２発行者情報レコードの配布者識別子の値を取得する。取得された配布者識別子の値が、価値情報の配布者として特定される。
【００６６】
価値情報送信部１０８ａは、判定部１０７ａから出力された第２発行者情報レコードから、第１価値情報識別子、発行者識別子、装置情報、第１価値情報及び発行者名の値を取得する。価値情報送信部１０８ａは、取得された第１価値情報識別子、発行者識別子、装置情報、第１価値情報及び発行者名の各値と、価値情報送信部１０８ａによって取得された配布者識別子の値とを含む価値情報を生成する。価値情報送信部１０８ａは、端末情報によって特定される端末装置２００ａに価値情報を送信する。このような手法と取ることで、価値情報には、他の発行者によって発行された第２価値情報が含まれる場合がある。したがって、端末装置２００ａの利用者は、他の発行者（例えば、他のサービス提供施設）によって発行された第２価値情報を確認することで、他のサービス提供施設に移動するという動機づけを持つことができる。
【００６７】
図１２は、第２の実施形態の端末装置２００ａの機能構成を表す機能ブロック図である。端末装置２００ａは、価値情報記憶部２０５の代わりに価値情報記憶部２０５ａを備え、制御部２０６の代わりに制御部２０６ａを備える。端末装置２００ａは、それ以外の点については、第１の実施形態における端末装置２００と同じである。
【００６８】
価値情報記憶部２０５ａは、磁気ハードディスク装置や半導体記憶装置等の記憶装置を用いて構成される。価値情報記憶部２０５ａは、第２価値情報テーブルを記憶する。価値情報記憶部２０５ａは、第２価値情報テーブルを記憶する。第２価値情報テーブルは、端末装置２００ａが受信した価値情報を記憶する。
【００６９】
図１５は、第２価値情報テーブルの具体例を示す図である。第２価値情報テーブルは、第２価値情報レコードを有する。第２価値情報レコードは、第１価値情報識別子、発行者識別子、発行者名、第１価値情報、装置情報、配布者履歴及びステータスの各値を有する。すなわち、第２価値情報テーブルは、位置情報の代わりに装置情報の値を有する点で、第１価値情報テーブルと異なり、それ以外の点は同じである。
【００７０】
図１２に戻って、端末装置２００ａの説明を続ける。制御部２０６ａは、端末装置２００ａの各部の動作を制御する。制御部２０６ａは、例えばＣＰＵ等のプロセッサ及びＲＡＭを備えた装置により実行される。制御部２０６ａは、情報送信プログラムを実行することによって、価値情報取得部２０８ａ、価値情報更新部２０９ａ、実現情報生成部２１０及び装置情報取得部２１１として機能する。
【００７１】
価値情報取得部２０８ａは価値情報を取得する。価値情報取得部２０８ａは、装置情報が取得された場合、端末情報記憶部２０４から端末情報を取得する。価値情報取得部２０８ａは、取得された装置情報及び端末情報を情報処理装置１００ａに送信する。価値情報取得部２０８ａは、送信された装置情報が、所定の条件を満たす場合、情報処理装置１００ａから価値情報を受信する。価値情報取得部２０８ａは、受信された価値情報を価値情報更新部２０９ａに出力する。所定の条件とは、例えば、情報処理装置１００ａが備える判定部１０７ａによって、価値情報を端末装置２００ａに送信すると判定される場合の条件である。
【００７２】
価値情報更新部２０９ａは、取得された価値情報に基づいて第２価値情報テーブルを更新する。価値情報更新部２０９ａが、第２価値情報テーブルの各第２価値情報レコードに対して、配布者識別子の値を配布者履歴の値として追加するまでの処理は、第１の実施形態と同じである。価値情報更新部２０９ａは、第２価値情報レコードに記憶されている装置情報が、装置情報取得部２１１によって取得された装置情報と、一致しているか否かを判定する。価値情報更新部２０９ａは、装置情報が一致していると判定した場合、第２価値情報レコードのステータスの値を“実現”に変更する。価値情報更新部２０９ａは、装置情報が一致していないと判定した場合、第２価値情報レコードのステータスの値を“流通”に変更する。
【００７３】
装置情報取得部２１１は、通信装置４００から装置情報を取得する。装置情報は、ホテル又はレストラン等の第１価値情報を使用可能な場所に設置される通信装置４００を識別する情報である。装置情報は、第１場所情報の一態様である。
【００７４】
図１３は、第２の実施形態の通信装置４００の機能構成を表す機能ブロック図である。通信装置４００は、バスで接続されたＣＰＵやメモリや補助記憶装置などを備え、装置情報送信プログラムを実行することによって通信部４０１、装置情報記憶部４０２及び制御部４０３を備える装置として機能する。なお、通信部４０１、装置情報記憶部４０２及び制御部４０３の各機能の全て又は一部は、ＡＳＩＣやＰＬＤやＦＰＧＡ等のハードウェアを用いて実現されてもよい。装置情報送信プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。装置情報送信プログラムは、電気通信回線を介して送信されてもよい。
【００７５】
通信部４０１は、ネットワークインタフェースである。通信部４０１は、所定のタイミングで端末装置２００ａに信号を送信する。所定のタイミングは、６００ミリ秒毎であってもよいし、７００ミリ秒毎であってもよいし、１００ミリ秒であってもよいし、１秒毎であってもよい。所定のタイミングは、どのような時間間隔であってもよい。信号には、通信装置４００を識別可能な装置情報が含まれる。通信部４０１は、例えばビーコン信号、無線ＬＡＮ、Ｂｌｕｅｔｏｏｔｈ又はＮＦＣ（Near Field Communication）等の近距離無線通信方式で通信してもよい。通信部４０１は、近距離無線通信方式であればどのような方式で通信を行ってもよい。
【００７６】
装置情報記憶部４０２は、磁気ハードディスク装置や半導体記憶装置等の記憶装置を用いて構成される。装置情報記憶部４０２は装置情報を記憶する。装置情報は通信装置４００を識別可能な情報である。装置情報は、例えば、ＩＰアドレスであってもよいし、ＭＡＣアドレスであってもよいし、予め指定された任意の文字列情報であってもよい。装置情報は、通信装置４００を一意に識別できる情報であればどのような情報であってもよい。
【００７７】
制御部４０３は、通信装置４００の各部の動作を制御する。制御部４０３は、例えばＣＰＵ等のプロセッサ及びＲＡＭを備えた装置により実行される。制御部４０３は、装置情報送信プログラムを実行することによって、装置情報送信部４０４として機能する。
【００７８】
装置情報送信部４０４は通信部４０１を介して装置情報を送信する。装置情報送信部４０４は、装置情報を送信する場合、装置情報記憶部４０２から装置情報を取得する。装置情報送信部４０４は、取得された装置情報を信号に含めることで、装置情報を送信する。
【００７９】
図１６は、第２の実施形態の価値情報の送受信の流れの一具体例を示すフローチャートである。通信装置４００の装置情報送信部４０４は装置情報を送信する（ステップＳ４０１）。端末装置２００ａの装置情報取得部２１１は、装置情報を取得する（ステップＳ４０２）。端末装置２００ａの価値情報取得部２０８ａは、端末情報記憶部２０４から端末情報を取得する（ステップＳ４０３）。価値情報取得部２０８ａは、取得された装置情報及び端末情報を情報処理装置１００ａに送信する（ステップＳ４０４）。
【００８０】
情報処理装置１００ａの判定部１０７ａは、価値情報を端末装置２００ａに送信するか否かを判定する（ステップＳ４０５）。判定部１０７ａは、第２発行者情報レコードの配布装置情報の値と、受信された装置情報の値とが一致する第２発行者情報レコードを特定する。判定部１０７ａは、少なくとも１つの第２発行者情報レコードが特定された場合、価値情報を端末装置２００ａに送信すると判定する。情報処理装置１００ａは、価値情報を端末装置２００ａに送信しないと判定された場合（ステップＳ４０５：ＮＯ）、処理を終了する。
【００８１】
価値情報送信部１０８ａは、価値情報を端末装置２００ａに送信すると判定された場合（ステップＳ４０５：ＹＥＳ）、価値情報を生成する(ステップＳ４０６)。価値情報送信部１０８ａは、生成された価値情報を、取得された端末情報によって特定される端末装置２００ａに送信する（ステップＳ４０７）。価値情報更新部２０９は、取得された価値情報に基づいて、第２価値情報テーブルを更新する（ステップＳ４０８）。
【００８２】
図１７は、第２の実施形態の第２価値情報テーブルの更新の流れの一具体例を示すフローチャートである。図１７に示すフローチャートのステップＳ２０１からステップＳ２０３は、第１の実施形態と同じである。図１７に示すフローチャートでは、第１の実施形態と異なるステップ（ステップＳ２０４ａ）以降の処理について説明する。
【００８３】
価値情報更新部２０９ａは、第２価値情報レコードに記憶されている装置情報が、装置情報取得部２１１によって取得された装置情報と、一致しているか否かを判定する（ステップＳ２０４ａ）。価値情報更新部２０９ａは、装置情報が一致していると判定した場合（ステップＳ２０４ａ：ＹＥＳ）、第２価値情報レコードのステータスの値を“実現”に変更する（ステップＳ２０５）。価値情報更新部２０９ａは、装置情報が一致していないと判定した場合（ステップＳ２０４ａ：ＮＯ）、第２価値情報レコードのステータスの値を“流通”に変更する（ステップＳ２０６）。
【００８４】
このように構成された情報送信システム２では、端末装置２００ａの価値情報取得部２０８ａは、通信装置４００の装置情報を情報処理装置１００ａに送信する。情報処理装置１００ａの価値情報送信部１０８ａは、受信した装置情報に基づいて、価値情報を端末装置２００ａに送信する。端末装置２００ａの利用者は、受信した価値情報を確認することで、価値情報に含まれる第１価値情報を使用することができる別のサービス提供施設に移動する。利用者は、別のサービス提供施設に移動して、価値情報に含まれる第１価値情報を使用してサービスの提供を受ける。価値情報に含まれる第１価値情報が使用された場合、第１価値情報を配布した配布者は、第１価値情報の発行者から対価を得ることができる。したがって、サービス提供施設の新たな収入源を創出することができる。また、価値情報を配布した配布者は、第１価値情報の発行者から対価が付与されることで、価値情報を配布する者は、増加することが考えられる。価値情報を配布する者が増加した場合、端末装置２００ａの利用者に対して、別のサービス提供施設に移動する動機づけをより多く与えることができ、価値情報の配布者は、より多くの対価を得ることができ、サービス提供施設のさらなる収入源の創出及び地域全体へ顧客を送客することができる。
【００８５】
（実施形態の変形例）
上述の情報送信システムは、第１の実施形態と第２の実施形態とを組み合わせて構成されてもよい。このように構成されることで、位置情報又は装置情報のいずれか一方を取得した端末装置２００は、情報処理装置１００から価値情報を取得することができる。
【００８６】
端末装置２００の位置情報取得部２０７は、所定の識別子を読み取ることで、位置情報を取得するように構成されてもよい。この場合、位置情報取得部２０７は、カメラ等の撮像装置であってもよいし、レーザースキャナ又はＣＣＤリーダー等の読取装置であってもよい。所定の識別子は、例えば、位置情報を記号又は模様等の他の様式で表した情報である。所定の識別子は、例えば、バーコード又はＱＲコード（登録商標）等の模様で表されてもよいし、文字列で表されてもよい。所定の識別子は、配布者によって配置される。
【００８７】
通信装置４００は、装置情報が記録されたＲＦ（Radio Frequency）タグであってもよい。この場合、端末装置２００の装置情報取得部２１１は、ＲＦＩＤの規格に沿った近距離無線通信によって装置情報を取得するように構成されてもよい。ＲＦＩＤの規格には、例えば、ＮＦＣ（Near Field Communication）が用いられてもよい。
【００８８】
通信装置４００は、所定の識別子を生成するように構成されてもよい。この場合、通信装置４００は、識別子生成部と表示部とをさらに備える。所定の識別子は、例えば、バーコード又はＱＲコード等の模様で表されてもよいし、文字列で表されてもよい。識別子生成部は、装置情報記憶部４０２に記憶される装置情報に基づいて、所定の識別子を生成する。表示部は、生成された所定の識別子を表示する。端末装置２００ａの装置情報取得部２１１は、表示された所定の識別子を読み取ることで、装置情報を取得する。この場合、装置情報取得部２１１は、カメラ等の撮像装置であってもよいし、レーザースキャナ又はＣＣＤリーダー等の読取装置であってもよい。なお、識別子生成部は、位置情報に基づいて、所定の識別子を生成してもよい。この場合、端末装置２００の位置情報取得部２０７は、所定の識別子を読み取ることで、位置情報を取得する。この場合、位置情報取得部２０７は、カメラ等の撮像装置であってもよいし、レーザースキャナ又はＣＣＤリーダー等の読取装置であってもよい。
【００８９】
上記の情報送信システムでは、端末装置２００ａは、通信装置４００として機能するように構成されてもよい。この場合、端末装置２００ａは、装置情報記憶部４０２及び装置情報送信部４０４を更に備える。端末装置２００ａの装置情報取得部２１１は、他の端末装置２００ａが所定の範囲内に接近すると、他の端末装置２００ａから装置情報を取得する。
【００９０】
上述の実施形態では、端末装置２００が価値情報記憶部２０５を備えるように構成されているが、情報処理装置１００が価値情報記憶部２０５を備えるように構成されてもよい。この場合、情報処理装置１００は、生成された価値情報を端末装置２００に送信する代わりに価値情報記憶部２０５に記録する。このように構成されることで、利用者が端末装置２００を紛失、盗難又は機種変更等の理由で、異なる端末装置２００を使用することになった場合であっても、継続して価値情報を使用することができる。
【００９１】
上述の実施形態では、付与情報生成部１０９は、第１発行者情報テーブルに保持される付与対価の値に基づいて、付与対価の値を決定したが、付与対価の値はこれに限定されない。例えば、付与情報生成部１０９は、発行者によって提供されたサービスの料金に応じて決定されてもよい。
【００９２】
以上、この発明の実施形態について図面を参照して詳述してきたが、具体的な構成はこの実施形態に限られるものではなく、この発明の要旨を逸脱しない範囲の設計等も含まれる。
【符号の説明】
【００９３】
１…情報送信システム，  １００…情報処理装置，  １０１…通信部，  １０２…入力部，  １０３…表示部，  １０４…発行者情報記憶部，  １０５…付与対価記憶部，  １０６…制御部，  １０７…判定部，  １０８…価値情報送信部，  １０９…付与情報生成部，  ２００…端末装置，  ２０１…通信部，  ２０２…入力部，  ２０３…表示部，  ２０４…端末情報記憶部，  ２０５…価値情報記憶部，  ２０６…制御部，  ２０７…位置情報取得部，  ２０８…価値情報取得部，  ２０９…価値情報更新部，  ２１０…実現情報生成部，  ３００…ネットワーク，  ２…情報送信システム，  １００ａ…情報処理装置，  １０４ａ…発行者情報記憶部，  １０６ａ…制御部，  １０７ａ…判定部，  １０８ａ…価値情報送信部，  ２００ａ…端末装置，  ２０５ａ…価値情報記憶部，  ２０６ａ…制御部，  ２０８ａ…価値情報取得部，  ２０９ａ…価値情報更新部，  ２１０…実現情報生成部，  ４００…通信装置，  ４０１…通信部，  ４０２…装置情報記憶部，  ４０３…制御部，  ４０４…装置情報送信部
【図１】
2019191971.tif 000003
【図２】
2019191971.tif 000004
【図３】
2019191971.tif 000005
【図４】
2019191971.tif 000006
【図５】
2019191971.tif 000007
【図６】
2019191971.tif 000008
【図７】
2019191971.tif 000009
【図８】
2019191971.tif 000010
【図９】
2019191971.tif 000011
【図１０】
2019191971.tif 000012
【図１１】
2019191971.tif 000013
【図１２】
2019191971.tif 000014
【図１３】
2019191971.tif 000015
【図１４】
2019191971.tif 000016
【図１５】
2019191971.tif 000017
【図１６】
2019191971.tif 000018
【図１７】
2019191971.tif 000019